(57)【要約】  【課題】給水装置を備えた冷蔵庫に関し、貯水タンクに給水された水をすばやく冷却し、低温に保温することを図る。  【解決手段】扉８を備えた冷蔵庫本体７の庫内側上部に、内側に冷凍室９を形成する蒸発器１２が配置されており、蒸発器１２と相対する扉８の庫内側に奥面が蒸発器１２の上部にくるように配置された貯水タンク１０と、貯水タンク１０に貯水された水を冷蔵庫本体７の扉８の外部へと移動させる、一端が貯水タンク１０に接続され、他端が扉８の外部に配置されるパイプ１１で構成され、冷蔵庫本体７の冷却運転が始まると、蒸発器１２が冷却される。この時、蒸発器１２の上部にくるように配置された貯水タンク１０の奥面が蒸発器１２により冷却され、貯水タンク１０に給水された水をすばやく冷却し、低温に保温することができる。【選択図】図１
2006234216.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、前記貯水タンクが蒸発器の上部に接して配置されたことを特徴とした給水装置を備えた冷蔵庫。
【請求項２】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、前記貯水タンクが蒸発器の下部に接して配置されたことを特徴とした給水装置を備えた冷蔵庫。
【請求項３】
前記貯水タンクと前記蒸発器との接触部に緩衝材を備えたことを特徴とした請求項１または２に記載の給水装置を備えた冷蔵庫。
【請求項４】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、内部に冷凍室を構成する蒸発器を有し、前記蒸発器の前記扉側に前記冷凍室前面を塞ぐ冷凍室扉を備え、前記冷凍室扉に前記冷凍室側に向けて凹部を設け、前記貯水タンクの一部を、前記凹部に位置するように配置したことを特徴とした給水装置を備えた冷蔵庫。
【請求項５】
前記貯水タンクの奥面と前記蒸発器の最前面とをラップさせたことを特徴とした前記請求項４に記載の給水装置を備えた冷蔵庫。
【請求項６】
貯水タンク内部に仕切りを備えたことを特徴とした請求項１から５のいずれか一項に記載の給水装置を備えた冷蔵庫。
【発明の詳細な説明】
【技術分野】
【０００１】
本発明は、冷蔵庫の扉の内側に配設された貯水タンクから扉の外側へ冷水を供給する給水装置に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図７は、特許文献１に記載された従来の給水装置を備えた冷蔵庫を示すものである。図７に示すように冷蔵庫本体１の扉２と、貯水タンク３と、キャップ４と、給水パイプ５と、給水ポンプ６とから構成されている。
【０００４】
以上のように構成された給水装置を備えた冷蔵庫について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、貯水タンクに給水された水をすばやく冷却し、低温（約０℃）に保温することができるようにした給水装置を提供することを目的とする。
【課題を解決するための手段】
【０００８】
上記従来の課題を解決するために、本発明の給水装置を備えた冷蔵庫は、冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、前記貯水タンクが蒸発器の上部に接して配置したものである。
【０００９】
これによって、蒸発器により、直接貯水タンク内の水を冷却することができる。
【００１０】
また、本発明の給水装置を備えた冷蔵庫は、冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、前記貯水タンクが蒸発器の下部に接して配置したものである。
【００１１】
これによって、蒸発器により、直接貯水タンクが冷却されるとともに、蒸発器からの自然対流による冷却作用により貯水タンクを冷却することができる。
【００１２】
また、本発明の給水装置を備えた冷蔵庫は、冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、内部に冷凍室を構成する蒸発器を有し、前記蒸発器の前記扉側に前記冷凍室前面を塞ぐ冷凍室扉を備え、前記冷凍室扉に前記冷凍室側に向けて凹部を設け、前記貯水タンクの一部を、前記凹部に位置するように配置したものである。
【００１３】
これによって、貯水タンクの水が凍ることなく、貯水タンクの冷却能力を高めることができる。
【発明の効果】
【００１４】
本発明の給水装置を備えた冷蔵庫は、貯水タンク内の水を凍結させることなく、すばやく冷却し、低温に保持することができる。
【発明を実施するための最良の形態】
【００１５】
請求項１に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、前記貯水タンクが蒸発器の上部に接して配置したものであり、蒸発器により、直接貯水タンク内の水を冷却することができ、低温に保持することができる。
【００１６】
請求項２に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、前記貯水タンクが蒸発器の下部に接して配置したものであり、蒸発器により、直接貯水タンクが冷却されるとともに、蒸発器からの自然対流による冷却作用により貯水タンクを冷却することができる。
【００１７】
請求項３に記載の発明は、請求項１または２に記載の発明において、前記貯水タンクと前記蒸発器との接触部に緩衝材を備えたものであり、貯水タンク内の水が凍ることなく、貯水タンクに給水された水をすばやく冷却し、低温に保温することができる。
【００１８】
請求項４に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され他端が前記冷蔵庫の前記扉の外部に配置されるパイプとを有する給水装置において、内部に冷凍室を構成する蒸発器を有し、前記蒸発器の前記扉側に前記冷凍室前面を塞ぐ冷凍室扉を備え、前記冷凍室扉に前記冷凍室側に向けて凹部を設け、前記貯水タンクの一部を、前記凹部に位置するように配置したものであり、貯水タンクの水が凍ることなく、貯水タンクの冷却能力を高めることができる。
【００１９】
請求項５に記載の発明は、請求項４に記載の発明において、前記貯水タンクの奥面と前記蒸発器の最前面とをラップさせたものであり、貯水タンクに給水された水をすばやく冷却し、低温に保温することができる。
【００２０】
請求項６に記載した発明は、請求項１から５のいずれか一項に記載の発明において、貯水タンク内部に仕切りを備えたものであり、貯水タンク内部の蒸発器近傍の水が一時的に凍っても、パイプ近傍の水が凍らないので、貯水タンクの水をすばやく冷却し、低温に保温することができる。
【００２１】
以下、本発明の実施の形態について、図面を参照しながら説明する。なお、この実施の形態によってこの発明が限定されるものではない。
【００２２】
（実施の形態１）
図１は、本発明の実施の形態１における給水装置を備えた冷蔵庫の断面図である。
【００２３】
図１において、扉８を備えた冷蔵庫本体７の庫内側上部に、内側に冷凍室９を形成する蒸発器１２が配置されており、蒸発器１２と相対する扉８の庫内側に奥面が蒸発器１２の上部にくるように配置された貯水タンク１０と、貯水タンク１０に貯水された水を冷蔵庫本体７の扉８の外部へと移動させる一端が貯水タンク１０に接続され、他端が扉８の外部に配置されるパイプ１１で構成されている。
【００２４】
以上のように構成された給水装置を備えた冷蔵庫について、以下その動作、作用を説明する。
【００２５】
まず、冷蔵庫本体７の冷却運転が始まると、蒸発器１２が冷却される。この時、蒸発器１２の上部にくるように配置された貯水タンク１０の奥面が蒸発器１２により冷却され、貯水タンク１０に給水された水をすばやく冷却し、低温に保温することができる。
【００２６】
（実施の形態２）
図２は、本発明の実施の形態２における給水装置を備えた冷蔵庫の断面図である。
【００２７】
図２において、扉８を備えた冷蔵庫本体７の庫内側上部に、内側に冷凍室９を形成する蒸発器１２が配置されており、蒸発器１２と相対する扉８の庫内側に奥面が蒸発器１２の下部にくるように配置された貯水タンク１０と、貯水タンク１０に貯水された水を冷蔵庫本体７の扉８の外部へと移動させる、一端が貯水タンク１０に接続され、他端が扉８の外部に配置されるパイプ１１で構成されている。
【００２８】
以上のように構成された給水装置を備えた冷蔵庫について、以下その動作、作用を説明する。
【００２９】
まず、冷蔵庫本体７の冷却運転が始まると、蒸発器１２が冷却される。この時、蒸発器１２の下部にくるように配置された貯水タンク１０の奥面が蒸発器１２により冷却され、貯水タンク１０に給水された水をすばやく冷却し、低温に保温することができる。
【００３０】
（実施の形態３）
図３は、本発明の実施の形態３における給水装置を備えた冷蔵庫の断面図である。
【００３１】
図３において、扉８を備えた冷蔵庫本体７の庫内側上部に、内側に冷凍室９を形成する蒸発器１２が配置されており、蒸発器１２と相対する扉８の庫内側に奥面が蒸発器１２の上部にくるように配置された貯水タンク１０と、貯水タンク１０と蒸発器１２の間に配置された断熱材１３と、貯水タンク１０に貯水された水を冷蔵庫本体７の扉８の外部へと移動させる、一端が貯水タンク１０に接続され、他端が扉８の外部に配置されるパイプ１１で構成されている。
【００３２】
以上のように構成された給水装置を備えた冷蔵庫について、以下その動作、作用を説明する。
【００３３】
まず、冷蔵庫本体７の冷却運転が始まると、蒸発器１２が冷却される。この時、貯水タンク１０と蒸発器１２の間に配置された断熱材１３により、蒸発器１２により貯水タンク１０が冷却された時、貯水タンク１０内の水が凍ることなく、貯水タンク１０に給水された水をすばやく冷却し、低温に保温することができる。
【００３４】
（実施の形態４）
図４は、本発明の実施の形態４における給水装置を備えた冷蔵庫の断面図である。
【００３５】
図４において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０を冷凍室９に近づけた時に当たらないように冷凍室９側に凹み形状を設けた冷凍室扉１４を備え、貯水タンク１０に貯水された水を冷蔵庫本体７の扉８の外部へと移動させる、一端が貯水タンク１０に接続され、他端が扉８の外部に配置されるパイプ１１で構成されている。
【００３６】
以上のように構成された給水装置を備えた冷蔵庫について、以下その動作、作用を説明する。
【００３７】
まず、冷蔵庫本体７の冷却運転が始まると、蒸発器１２が冷却される。この時、蒸発器１２により冷凍室９が冷却され、その冷気により凹み形状を設けた冷凍室扉１４により貯水タンク１０は冷凍室９に近づくように配置されたことにより、貯水タンク１０に給水された水をすばやく冷却し、低温に保温することができる。
【００３８】
（実施の形態５）
図５は、本発明の実施の形態５における給水装置を備えた冷蔵庫の断面図である。
【００３９】
図５において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０の奥面が蒸発器１２の最前面とラップできるように凹み形状を設けた冷凍室扉１４を備え、貯水タンク１０に貯水された水を冷蔵庫本体７の扉８の外部へと移動させる、一端が貯水タンク１０に接続され、他端が扉８の外部に配置されるパイプ１１で構成されている。
【００４０】
以上のように構成された給水装置を備えた冷蔵庫について、以下その動作、作用を説明する。
【００４１】
まず、冷蔵庫本体７の冷却運転が始まると、蒸発器１２が冷却される。この時、蒸発器１２により蒸発器１２が冷却され、蒸発器１２により凹み形状を設けた冷凍室扉１４により、蒸発器１２の最前面にラップするように配置された貯水タンク１０が冷却され、貯水タンク１０に給水された水をすばやく冷却し、低温に保温することができる。
【００４２】
（実施の形態６）
図６は、本発明の実施の形態６における給水装置を備えた冷蔵庫の断面図である。
【００４３】
図６において、扉８を備えた冷蔵庫本体７の庫内側上部に、内側に冷凍室９を形成する蒸発器１２が配置されており、蒸発器１２と相対する扉８の庫内側に奥面が蒸発器１２の上部にくるように配置された貯水タンク１０の内部に仕切り１５が備えられ、貯水タンク１０に貯水された水を冷蔵庫本体７の扉８の外部へと移動させる、一端が貯水タンク１７に接続され、他端が扉８の外部に配置されるパイプ１１で構成されている。
【００４４】
以上のように構成された給水装置を備えた冷蔵庫について、以下その動作、作用を説明する。
【００４５】
まず、冷蔵庫本体７の冷却運転が始まると、蒸発器１２が冷却される。この時、蒸発器１２の上部にくるように配置された貯水タンク１０の奥面が蒸発器１２により冷却された時、貯水タンク１０に貯水された水は凍ることがある。貯水タンク１０の内部に仕切り板１７を備えたことにより、貯水タンク１０のパイプ１１部の水が凍ることなく、貯水タンク１０に給水された水をすばやく冷却し、低温に保温することができる。
【産業上の利用可能性】
【００４６】
以上のように、本発明にかかる給水装置は、直冷式冷蔵庫の貯水タンクの水をすばやく冷却し、低温に保温することが可能となるので、直冷式冷蔵庫の給水器装置等の用途に適用できる。
【図面の簡単な説明】
【００４７】
【図１】本発明の実施の形態１における給水装置を備えた冷蔵庫の断面図
【図２】本発明の実施の形態２における給水装置を備えた冷蔵庫の断面図
【図３】本発明の実施の形態３における給水装置を備えた冷蔵庫の断面図
【図４】本発明の実施の形態４における給水装置を備えた冷蔵庫の断面図
【図５】本発明の実施の形態５における給水装置を備えた冷蔵庫の断面図
【図６】本発明の実施の形態６における給水装置を備えた冷蔵庫の断面図
【図７】従来の給水装置を備えた冷蔵庫の断面図
【符号の説明】
【００４８】
７    冷蔵庫本体
８    扉
９    冷凍室
１０  貯水タンク
１１  パイプ
１２  蒸発器
１３  断熱材
１４  冷凍室扉
１５  仕切り
【図１】
2006234216.tif 000003
【図２】
2006234216.tif 000004
【図３】
2006234216.tif 000005
【図４】
2006234216.tif 000006
【図５】
2006234216.tif 000007
【図６】
2006234216.tif 000008
【図７】
2006234216.tif 000009